(57)【要約】【課題】電気機器において、２次側の電源を遮断することで機器の消費電力を削減した電気機器を提供することを目的としている。【解決手段】機器を運転、停止するためにマイコン１とマイコン１に電源供給するためのスイッチング電源２と、マイコン１とスイッチング電源２を電気的に接続、遮断するためのトランジスタ３を備え、トランジスタ３でマイコン１の電源を遮断して、機器の消費電力を下げることができ、マイコン１の電源を遮断した状態から通常の操作で運転動作が可能である。【選択図】図１
2009044841.tif 000002
【特許請求の範囲】
【請求項１】
電気機器内に、前記電気機器の運転、停止を制御するための制御手段と、前記制御手段に供給する電源を作る電源回路と、前記制御手段と前記電源回路を電気的に接続、遮断するための電源開閉手段とを備え、停止時に前記制御手段が待機状態となった時に、前記電源開閉手段で前記制御手段への電源を遮断することを特徴とする電気機器の電源回路。
【請求項２】
前記制御手段へ無線で信号を送る信号送信手段と、電気機器内に前記信号送信手段からの信号を受信する受信手段と、前記受信手段から受信した信号を維持する維持回路を備え、前記信号送信手段からの信号を前記維持回路で維持することを特徴とする請求項１記載の電気機器の電源回路。
【請求項３】
前記信号送信手段からの信号の始めに、前記制御手段への電源を供給する信号を含んで発信することを特徴とする請求項１記載の電気機器の電源回路。
【請求項４】
前記信号送信手段から信号が２回以上発信することを特徴とする請求項１記載の電気機器の電源回路。
【請求項５】
前記信号送信手段にタイマーを備え、タイマーが起動すると、前記信号送信手段から信号が発信することを特徴とする請求項２または、請求項３または、請求項４記載の電気機器の電源回路。
【請求項６】
前記運転操作手段を操作された状態に維持することを特徴とした請求項１記載の電気機器の電源回路。
【請求項７】
電気機器内に、有線で前記制御手段に信号を送信する運転操作手段を備え、前記運転操作手段からの信号を前記維持回路で維持することを特徴とする請求項１記載の電気機器の電源回路。
【請求項８】
電気機器内に、前記制御手段からの信号を記憶することが可能な記憶手段を備えることを特徴とした請求項１記載の電気機器の電源回路。
【請求項９】
電気機器内に、前記制御手段への電源が供給しているときに表示する表示手段を備え、前記制御手段への電源を遮断しているときに前記表示手段を表示しないことを特徴とした請求項１記載の電気機器の電源回路。
【発明の詳細な説明】
【技術分野】
【０００１】
本発明は、電気機器の電源回路に関する。
【背景技術】
【０００２】
従来、この種の電気機器では、待機時のマイコンの消費電力を削減するために、マイコンの機能であるスリープモード状態にするか、マイコンを２個使用し、片方の電源を遮断する方法が知られていた。しかしながら、スリープモードではリモコンの信号入力をマイコンが認識することができず、また、マイコンを２個使用した場合においては、電源を遮断していないマイコンは電力を消費していた（例えば特許文献１参照）。
【０００３】
以下、その電気機器について図１０を参照にしながら説明する。
【０００４】
図１０において、太線は電源供給ラインを示し、細線は信号ラインを示す。交流入力電源１００はメインスイッチ１０１を介してパワートランス１０２から電気機器のメイン回路に電源を供給する。待機状態においては、メインスイッチ１０１はオフとなっており、メインスイッチ１０１がオンされてメイン回路に電源が供給されると、メインマイコン１０３にも電源が供給される。図９からわかるように、電源回路はパワートランス１０２により１次側と２次側に分離され、サブマイコン１０４とメインマイコン１０３との間の信号の伝達はフォトカプラ１０５を介して行われる、なお、パワートランス１０２の代わりにスイッチング電源を用いてもよい。
【０００５】
次に、点線で囲まれた待機電源回路１０６の構成について説明する。交流入力電源１００の出力は直流電源１０７によって直流に変換され、直流電源が間欠電源１０８を介してリモコン受光部１０９とフィルター１１０に供給される。また直流電源は間欠コントローラー１１１、リアルタイマクロックであるＲＴＣ１１２、サブマイコン１０４、およびスイッチ駆動部１１３に供給される。図１０で示した電源回路は点線ｙに示す部分でパワートランス１０２により交流１次側と２次側に分離され、サブマイコン１０４とメインマイコン１０３間の信号のやり取りはフォトカプラ１０５を介して行われる。
【０００６】
次に、待機状態における動作について説明する。待機状態において、メイン回路にはメイン電源は供給されず、また、メインマイコン１０３にも電源供給されないため、電気機器のメイン回路その他パワートランス１０２から電源を供給される回路にける消費電力はゼロである。一方、待機状態において、リモコン受光部１０９には以下のように間欠電源が供給される。まず、交流電源１００が供給されると、図９の電源回路は待機状態に入る。直流電源１０７から電源を供給されたＲＴＣ１１２はサブマイコン１０４に時刻データａを供給すると共に、間欠コントローラー１１１にトリガーｂを出力する。すると、間欠コントローラー１１１は間欠電源のデューティ比を所定のデューティ比、例えば５０％のデューティ比とする信号ｄを出力して間欠電源を駆動し、リモコン受光部１０９とフィルター１１０に間欠電源を供給する。
【特許文献１】特開２００１−２６５４４９号公報
【発明の開示】
【発明が解決しようとする課題】
【０００７】
このような従来の電気機器では、マイコンへの常時電源を遮断するために待機電力を必要とする別のマイコンが必要になるために、待機電力が削減できず、消費電力を減少できないという課題があった。
【０００８】
また、待機電力の通電が遮断されて制御手段が駆動していない間、制御手段に信号を入力しても、制御手段が信号を受け付けることができないという課題があった。
【０００９】
また、制御手段が駆動していない間、タイマー機能が使えないという課題があった。
【００１０】
また、運転操作手段が機器内に組み込まれている場合、運転信号がＨｉもしくはＬｏの単発信号であるため、この単発信号で制御手段が復帰した後に信号の種類を認識できないという課題があった。
【００１１】
また、制御手段が待機状態に制御手段への電源を遮断するたびに、制御手段が記憶していた設定状態がリセットしてしまうという課題があった。
【００１２】
制御手段が待機状態となり、電源を遮断して省エネ状態となることを、ユーザーがわかりにくいという課題があった。
【００１３】
本発明は、上記従来の課題を解決するもので、待機電力を削減し省エネであり、待機電力の通電が遮断されて制御手段が駆動していない状態においても、通常の操作で機器が動作することができ、かつ電源を遮断する前の設定状態を記憶することができる電気機器を提供することを目的としている。
【課題を解決するための手段】
【００１４】
電気機器内に、前記電気機器の運転、停止を制御するための制御手段と、制御手段に供給する電源を作る電源回路と、制御手段と電源回路を電気的に接続、遮断するための電源開閉手段とを備え、停止時に制御手段が待機状態となった時に、電源開閉手段で制御手段への電源を遮断する構成としたものである。
【００１５】
この手段により、制御手段が待機状態のときに、制御手段にかかる電力をゼロにすることができる電気機器の電源回路を得ることができる。
【００１６】
また、他の手段は、制御手段へ無線で信号を送る信号送信手段と、機器内に信号送信手段からの信号を受信する受信手段と、受信手段から受信した信号を維持する維持回路を備え、信号送信手段からの信号を維持回路で維持する構成としたものである。
【００１７】
この手段により、受信手段から受信した信号のレベルを維持し続けることによって、受信した信号をトリガーにして制御手段が復帰し、かつ、復帰後に、維持し続けている受信手段から受信した信号を認識することができる。
【００１８】
また、他の手段は、信号送信手段からの信号の始めに、電源開閉手段を開状態とするための信号を含んで発信する構成としたものである。
【００１９】
この手段により、受信手段から受信した信号の始めに発信する信号をトリガーにして、制御手段が復帰し、その後に受信した信号を制御手段が認識して動作することができる。
【００２０】
また、他の手段は、信号送信手段から信号を２回以上発信する構成としたものである。
【００２１】
この手段により、受信手段から受信した１回目の信号をトリガーにして復帰した制御手段が、その後に受信した信号を制御手段が認識して動作することができる。
【００２２】
また、他の手段は、信号送信手段にタイマーを備え、タイマーが起動すると、信号送信手段から信号が発信する構成としたものである。
【００２３】
この手段により、制御手段が駆動していない状態でも、信号送信手段のタイマーが起動し、信号送信手段からの信号により制御手段が復帰して、機器が動作することができる。
【００２４】
また、他の手段は、運転操作手段を操作した状態に維持する構成としたものである。
【００２５】
この手段により、運転操作手段を入力した信号をトリガーにして復帰した制御手段が、復帰後に、運転操作手段が操作状態を維持していることで、運転操作手段からの信号を出力し続けており、制御手段が信号を認識することができる。
【００２６】
また、他の手段は、有線で制御手段に信号を送信する運転操作手段を備え、運転操作手段からの信号を維持回路で維持する構成としたものである。
【００２７】
この手段により、運転操作手段を入力した信号をトリガーにして復帰した制御手段が、復帰後に、維持し続けている運転操作手段からの信号を認識することができる。
【００２８】
また、他の手段は、制御手段からの信号を記憶することが可能な記憶手段を備える構成としたものである。
【００２９】
この手段により、制御手段の電源が遮断している状態から復帰した後にも、電源遮断前の機器の状態を記憶することができる。
【００３０】
また、他の手段は、制御手段への電源を供給しているときに表示する表示手段を備え、制御手段への電源を遮断しているときに表示手段を表示しない構成としたものである。
【００３１】
この手段により、制御手段への電源が遮断された省エネ状態となっていることをユーザーが把握できる。
【発明の効果】
【００３２】
本発明によれば、機器停止時の待機状態の消費電力を下げて省エネ状態となることができる電気機器の電源回路が得られる。
【００３３】
また、機器停止時の待機状態に制御手段の電源を遮断した状態、すなわち、待機電力の通電が遮断されて制御手段が駆動していない状態においても、通常の操作で動作することができる電気機器の電源回路が得られる。
【００３４】
また、制御手段の電源を遮断した状態である機器停止時の待機時においても、電源遮断前の機器の状態を記憶できる電気機器が得られる。
【００３５】
また、ユーザーが機器が省エネ状態であることを実感できる電気機器が得られる。
【発明を実施するための最良の形態】
【００３６】
本発明の請求項１の発明は、電気機器内に、前記電気機器の運転、停止を制御するための制御手段と、制御手段に供給する電源を作る電源回路と、制御手段と電源回路を電気的に接続、遮断するための電源開閉手段とを備え、停止時に制御手段が待機状態となった時に、電源開閉手段で制御手段への電源を遮断する構成としたものであり、制御手段が待機状態のときに、制御手段にかかる電力をゼロにすることにより、機器停止時の待機状態の消費電力を下げて省エネとすることができるという作用を有する。
【００３７】
本発明の請求項２の発明は、制御手段へ無線で信号を送る信号送信手段と、電気機器内に信号送信手段からの信号を受信する受信手段と、受信手段から受信した信号を維持する維持回路を備え、信号送信手段からの信号を維持回路で維持することで、受信手段から受信した信号をトリガーにして復帰した制御手段が、復帰後に、維持し続けている受信手段から受信した信号を認識することができ、制御手段の電源を遮断した状態である機器停止時の待機時においても、通常の操作で動作することができるという作用を有する。
【００３８】
本発明の請求項３の発明は、信号送信手段からの信号の始めに、制御手段への電源を供給する信号を含んで発信することにより、受信手段から受信した信号の始めの信号をトリガーにして復帰した制御手段が、その後に受信した信号を制御手段が認識して動作することができ、機器停止時の待機状態に制御手段の電源を遮断した状態でも、通常の操作で動作することができるという作用を有する。
【００３９】
本発明の請求項４の発明は、信号送信手段から信号が２回以上発信する構成としたものであり、受信手段から受信した１回目の信号をトリガーにして復帰した制御手段が、その後に受信した信号を制御手段が認識して動作することができ、制御手段の電源を遮断した状態である機器停止時の待機時においても、通常の操作で動作することができるという作用を有する。
【００４０】
本発明の請求項５の発明は、信号送信手段にタイマーを備え、タイマーが起動すると、信号送信手段から信号が発信する構成としたものであり、制御手段が駆動していない状態でも、信号送信手段のタイマーが起動し、信号送信手段からの信号により制御手段が復帰して、機器が動作することができ、制御手段の電源を遮断した状態である機器停止時の待機時においても、通常の操作で動作することができるという作用を有する。
【００４１】
本発明の請求項６の発明は、運転操作手段を操作した状態に維持する構成としたものであり、運転操作手段から入力した信号をトリガーにして復帰した制御手段が、復帰後に、運転操作手段が操作状態を維持し続けて信号を出力しており、制御手段が信号を認識することができ、機器停止時の待機状態に制御手段の電源を遮断した状態でも、通常の操作で動作することができるという作用を有する。
【００４２】
本発明の請求項７の発明は、有線で制御手段に信号を送信する運転操作手段を備え、運転操作手段からの信号を維持回路で維持する構成としたものであり、運転操作手段を入力した信号をトリガーにして復帰した制御手段が、復帰後に、維持し続けている運転操作手段からの信号を認識することができ、制御手段の電源を遮断した状態である機器停止時の待機時においても、通常の操作で動作することができるという作用を有する。
【００４３】
本発明の請求項８の発明は、制御手段からの信号を記憶することが可能な記憶手段を備える構成としたものであり、制御手段の電源を遮断した状態である機器停止時の待機時においても、電源遮断前の機器の状態を記憶できるという作用を有する。
【００４４】
本発明の請求項９の発明は、制御手段への電源が供給しているときに表示する表示手段を備え、制御手段への電源を遮断しているときに表示手段を表示しない構成としたものであり、制御手段への電源が遮断された省エネ状態となっていることをユーザーが把握でき、ユーザーが省エネであることを実感できるという作用を有する。
【００４５】
以下、本発明の実施の形態について図面を参照しながら説明する。
【００４６】
（実施の形態１）
図１に示すように、電気機器内に、機器の運転、停止を制御するための制御手段としてのマイコン１と、マイコン１に供給する電源を作る電源回路としてのスイッチング電源２と、マイコン１とスイッチング電源２を電気的に接続、遮断するための電源開閉手段としてのトランジスタ３と、トランジスタ３のベースに接続して、トランジスタ３が接続状態を維持するためのラッチ回路Ａ４と、マイコン１へ無線で信号を送る信号送信手段としてのリモコン５と、機器内にリモコン５からの信号を受信する受信手段としての受信部６と、受信部６からの信号を維持する維持回路としてのラッチ回路Ｂ７を構成する。
【００４７】
上記構成において、機器の運転、停止などの動作の制御をマイコン１によっておこなっている。通常、停止状態においては、機器の全てのアクチュエーターを停止し、タイマーなどのマイコン１の内部処理をしていない状態であれば、マイコン１は運転信号の入力を待ち受ける以外の動作はしていない。この状態の時、マイコン１は電源を供給しているスイッチング電源２との電気的な接続を遮断するために、トランジスタ３へ信号を送り、マイコン１への電源を遮断する。
【００４８】
待機状態は上記のようにマイコン１の電源が遮断した状態である。ユーザーが待機状態から運転をするために、リモコン５から運転信号を送信する。送信した運転信号は受信部６で受信してラッチ回路Ｂ７によって信号出力は維持される。
【００４９】
具体的に言うと、図２に示すように、通常、マイコン１の信号ポートがＬｏレベルであるとすると、リモコン５は運転信号としてＨｉレベルの信号を受信部６へ送信する。受信したＨｉレベルの信号によって、トランジスタ３は接続状態となり、マイコン１へ電源が供給される。トランジスタ３は、ラッチ回路Ａ４によっラッチ回路Ｂ７て接続状態を維持される。また、受信したＨｉレベルの信号はラッチ回路Ｂ７に送られ、によってＨｉレベルに維持される。マイコン１は電源供給されることで通常状態に復帰し、ラッチ回路Ｂ７からＨｉレベルの信号を入力して、マイコン１は運転を認識する。マイコン１は運転を認識後、ラッチ回路Ｂ７へラッチ解除の信号を送信し、運転状態において信号待ち受け状態となる。
【００５０】
ここで、マイコン１の電源供給、すなわち、通電を遮断している際、ラッチ回路Ａ４およびラッチ回路Ｂ７には電源供給し続けているが、マイコン１の消費電流と比べて充分に小さく、数μＡ程度である。
【００５１】
このようにして、待機時に、マイコン１の電源、通電を遮断することで待機電力を削減し、通常の運転操作で、マイコン１の通電を遮断した待機状態から電源供給、すなわち、通電された運転状態へ切り替えることができることとなる。
【００５２】
なお、本実施の形態では、電源回路としてスイッチング電源２、電源開閉手段としてトランジスタ３、信号送信手段としてリモコン５、維持回路としてラッチ回路Ｂ７を用いたが、同様の作用効果をもたらすものであればこれに限るものではない。
【００５３】
（実施の形態２）
次に、本発明の実施の形態２について図面を参照しながら説明する。なお、実施の形態１と同一のものは同一番号を付し、その詳細な説明を省略する。
【００５４】
図３に示すように、機器内に、機器の運転、停止を制御するための制御手段としてのマイコン１と、マイコン１に供給する電源を作る電源回路としてのスイッチング電源２と、マイコン１とスイッチング電源２を電気的に接続、遮断するための電源開閉手段としてのトランジスタ３と、トランジスタ３のベースに接続して、トランジスタ３が接続状態を維持するためのラッチ回路Ａ４と、マイコン１へ無線で信号を送る信号送信手段としてのリモコン５と、機器内にリモコン５からの信号を受信する受信手段としての受信部６を構成する。
【００５５】
上記構成において、図４に示すように、リモコン５から送信した信号の始めに、トランジスタ３をＯＮする為の信号８を発信し、１秒後にリモコン５より運転信号Ａ９を受信部６に向けて発信する。始めに送信した信号８が受信部６で受信し、トランジスタ３をＯＮする。トランジスタ３がＯＮすることでマイコン１へ電源が供給されて、１秒以内にマイコン１は通常状態に復帰する。マイコン１が復帰した後、マイコン１からトランジスタ３を常時ＯＮとするように電源を供給する。その後、信号８の１秒後に発信した運転信号Ａ９を受信部６で受信し、マイコン１へ入力されて、運転信号Ａ９に従った運転を行う。
【００５６】
また、トランジスタ３をＯＮするために、リモコン５から送信した信号の始めに信号８を入れたが、信号８の代わりに運転信号を入れても同様の効果が得られる。
【００５７】
図５に示すように、リモコン５から運転信号Ｂ１０を発信し、１秒後に再度運転信号Ｂ１０と同じ信号である運転信号Ｃ１１を発信する。始めに送信した運転信号Ｂ１０が受信部６で受信し、トランジスタ３をＯＮする。トランジスタ３がＯＮすることでマイコン１へ電源が供給されて、１秒以内にマイコンは通常状態に復帰する。マイコン１が復帰した後、マイコン１からトランジスタ３を常時ＯＮとするように電源を供給する。その後、運転信号Ｂ１０の１秒後に発信した運転信号Ｃ１１を受信部６で受信し、マイコン１へ入力されて、運転信号Ｃ１１に従った運転を行う。
【００５８】
このようにして、マイコン１の電源を遮断することで待機電力を削減し、通常の運転操作で待機状態から運転状態へ切り替えることができる。
【００５９】
また、リモコン５にタイマー機能を有すことで、マイコン１が駆動していない状態においてもタイマーによる動作をすることができる。
【００６０】
具体的に言うと、リモコン５のタイマー設定を『１時間後に運転』としたとき、タイマーの待機状態ではマイコン１も待機状態となり、電源はトランジスタ３によって遮断している。１時間経過後、リモコン５のタイマーが起動し、リモコン５からトランジスタ３をＯＮする信号と、運転信号を発信する。
【００６１】
このようにして、機器のマイコン１が駆動していない状態でも、タイマー機能を使用して運転をすることができる。
【００６２】
なお、本実施の形態では、１つめの信号と２つめの信号の間隔を１秒としたが、同様の作用効果をもたらすものであればこれに限るものではない。
【００６３】
（実施の形態３）
次に、本発明の実施の形態３について図面を参照しながら説明する。なお、実施の形態１と同一のものは同一番号を付し、その詳細な説明を省略する。
【００６４】
図６に示すように、機器内に、機器の運転、停止を制御するための制御手段としてのマイコン１と、マイコン１に供給する電源を作る電源回路としてのスイッチング電源２と、マイコン１とスイッチング電源２を電気的に接続、遮断するための電源開閉手段としてのトランジスタ３と、マイコンへ有線で信号を送る運転操作手段としてのロック型のキースイッチ１２を構成する。
【００６５】
上記構成において、機器の運転、停止などの動作の制御をマイコン１によっておこなっている。通常、停止状態においては、機器の全てのアクチュエーターを停止し、タイマーなどのマイコン１の内部処理をしていない状態であれば、マイコン１は運転信号の入力を待ち受ける状態のみとなっている。この状態の時、マイコン１は電源を供給しているスイッチング電源２との電気的な接続を遮断するために、トランジスタ３へ信号を送り、マイコン１への電源を遮断する。
【００６６】
待機状態は上記のようにマイコン１の電源が遮断した状態である。ユーザーが待機状態から運転をするために、目的の運転のキースイッチ１２を押す。キースイッチ１２がロック型であるため、一度キースイッチ１２が押されると、押された状態を維持するため、キー入力が常にされている状態となる。そのため、キースイッチ１２から常にＨｉの信号が出力され、信号はトランジスタ３およびマイコン１へ入力されて、トランジスタ３がＯＮしてマイコン１へ電源供給されて、マイコン１復帰後、キースイッチ１２の入力を認識する。
【００６７】
また、キースイッチ１２がロック型でなくても同様の効果を得ることができる。
【００６８】
図７に示すように、機器内に、機器の運転、停止を制御するための制御手段としてのマイコン１と、マイコン１に供給する電源を作る電源回路としてのスイッチング電源２と、マイコン１とスイッチング電源２を電気的に接続、遮断するための電源開閉手段としてのトランジスタ３と、マイコンへ有線で信号を送る運転操作手段としてのプッシュスイッチ１３と、プッシュスイッチ１３からの信号を維持するための、維持回路としてのラッチ回路Ｂ７を構成する。
【００６９】
待機状態から運転をするためにプッシュスイッチ１３を押すと、プッシュスイッチ１３がロック型で無い場合は、押してから指を離すまでの間しかプッシュスイッチ１３からの信号は得ることはできない。そのため、プッシュスイッチ１３が押されることで出力される信号を、トランジスタ３およびラッチ回路Ｂ７へ送信し、トランジスタ３をＯＮしてマイコン１への電源供給を行い、マイコン１は通常状態復帰すると同時に、ラッチ回路Ｂ７にてマイコン１へプッシュスイッチ１３の信号が維持されて入力される。
【００７０】
具体的に言うと、プッシュスイッチ１３に『強運転』『弱運転』『微運転』とあったとする。ユーザーは、待機状態に『強運転』押したとき、強運転のＨｉレベルの信号がトランジスタ３およびラッチ回路Ｂ７へと送信される。トランジスタ３は強運転のＨｉレベルの信号によってＯＮし、マイコン１へ電源供給されて通常状態に復帰する。トランジスタ３は、ラッチ回路Ａ４によって接続状態を維持される。またマイコン１が復帰後、ラッチ回路Ｂ７からマイコン１の強運転のマイコンポートへＨｉレベルの信号が維持されて出力しているため、マイコン１は強運転を認識し、機器は強運転で動き出す。マイコン１が強運転を認識後、ラッチ回路Ｂ７のラッチを解除する信号をマイコン１から送信する。
【００７１】
このようにして、マイコン１の電源を遮断することで待機電力を削減し、通常の運転操作で待機状態から運転状態へ切り替えることができる。
【００７２】
なお、本実施の形態では、運転操作手段としてキースイッチ１２、プッシュスイッチ１３、維持回路としてラッチ回路Ｂ７を用いたが、同様の作用効果をもたらすものであればこれに限るものではない。
【００７３】
なお、本実施の形態では、キースイッチの種類として『強運転』『弱運転』『微運転』としたが、同様の作用効果をもたらすものであればこれに限るものではない。
【００７４】
（実施の形態４）
次に、本発明の実施の形態４について図面を参照しながら説明する。なお、実施の形態１と同一のものは同一番号を付し、その詳細な説明を省略する。
【００７５】
図８に示すように、マイコン１と通信して記憶することができる記憶手段としてのＥＥＰＲＯＭ１４を構成する。
【００７６】
上記構成において、マイコン１からＥＥＰＲＯＭ１４へ待機時の前の状態等を記憶する。トランジスタ３によってマイコン１の電源を遮断することでリセットされる内容を、マイコン１復帰後にＥＥＰＲＯＭ１４から読み取って、マイコン１の電源遮断前と同じ状態に戻すことができる。
【００７７】
具体的に言うと、強運転の運転時間がデフォルトでは『４時間』であるが、ユーザーはしばしば２時間で使用しているために、『２時間』で設定しているとする。マイコン１が駆動している間は、マイコン１の揮発性メモリーに記憶されるために、設定した運転時間は記憶されている。しかし、マイコン１の電源をトランジスタ３で遮断することで、マイコン内部の揮発性メモリーはリセットされてしまうために、待機状態になるたびに設定をし直さなくてはならない。
【００７８】
マイコン１と通信して記憶することができるＥＥＰＲＯＭ１４を有することで、マイコン１の電源をトランジスタ３で遮断する直前に、ユーザーにより設定『２時間』という内容をＥＥＰＲＯＭ１４に記憶し、マイコン１が復帰直後にＥＥＰＲＯＭ１４から『２時間』という設定状態を読みこんで、マイコン１の電源遮断前と同じ状態に戻すことができる。
【００７９】
なお、本実施の形態では、記憶手段としてＥＥＰＲＯＭ１４を用いたが、同様の作用効果をもたらすものであればこれに限るものではない。
【００８０】
（実施の形態５）
次に、本発明の実施の形態５について図面を参照しながら説明する。なお、実施の形態１と同一のものは同一番号を付し、その詳細な説明を省略する。
【００８１】
図９に示すように、マイコン１からの信号で表示を行う表示手段としてのＬＥＤ１５を構成する。
【００８２】
上記構成において、マイコン１へトランジスタ３から電源を供給している際は、マイコン１からの信号でＬＥＤ１５を点灯するようにし、マイコン１への電源をトランジスタ３によって遮断されているときはＬＥＤ１５は消灯となる。
【００８３】
このようにして、マイコン１の電源を遮断することで待機電力を削減し、ユーザーは待機電力を抑えて省エネ状態であることを実感することができる。
【００８４】
なお、本実施の形態では、表示手段としてＬＥＤ１５を用いたが、同様の作用効果をもたらすものであればこれに限るものではない。
【産業上の利用可能性】
【００８５】
ＩＣが駆動していないときの消費電力の削減を行うことができる。
【図面の簡単な説明】
【００８６】
【図１】本発明の実施の形態１の電気機器の構成を示す概略図
【図２】本発明の実施の形態１の電気機器のの信号の内容を示す概略図
【図３】本発明の実施の形態２の電気機器の構成を示す概略図
【図４】本発明の実施の形態２の電気機器のの信号の内容を示す概略図
【図５】本発明の実施の形態２の電気機器のの信号の内容を示す概略図
【図６】本発明の実施の形態３の電気機器の構成を示す概略図
【図７】本発明の実施の形態３の電気機器の構成を示す概略図
【図８】本発明の実施の形態４の電気機器の構成を示す概略図
【図９】本発明の実施の形態５の電気機器の構成を示す概略図
【図１０】従来の空気調和機の構成を示す概略図
【符号の説明】
【００８７】
１      マイコン
２      スイッチング電源
３      トランジスタ
４      ラッチ回路Ａ
５      リモコン
６      受信部
７      ラッチ回路Ｂ
８      信号
９      運転信号Ａ
１０    運転信号Ｂ
１１    運転信号Ｃ
１２    キースイッチ
１３    プッシュスイッチ
１４    ＥＥＰＲＯＭ
１５    ＬＥＤ
１００  交流入力電源
１０１  メインスイッチ
１０２  パワートランス
１０３  メインマイコン
１０４  サブマイコン
１０５  フォトカプラ
１０６  待機電源回路
１０７  直流電源
１０８  間欠電源
１０９  リモコン受光部
１１０  フィルター
１１１  間欠コントローラー
１１２  ＲＴＣ
１１３  スイッチ駆動部
【図１】
2009044841.tif 000003
【図２】
2009044841.tif 000004
【図３】
2009044841.tif 000005
【図４】
2009044841.tif 000006
【図５】
2009044841.tif 000007
【図６】
2009044841.tif 000008
【図７】
2009044841.tif 000009
【図８】
2009044841.tif 000010
【図９】
2009044841.tif 000011
【図１０】
2009044841.tif 000012